(57)【要約】【課題】  人体ストレッチングマッサージ装置を開示する。【解決手段】  人体ストレッチングマッサージ装置は、人体のストレッチングのためのマットとして、前記マットを膨脹させるための充填材が充填される複数の膨脹領域を含むマットと、前記膨脹領域に連結部材を通じて連結されて前記膨脹領域内に前記充填材を注入する充填材供給装置と、前記充填材供給装置の作動を制御するコントロール装置と、を含み、前記複数の膨脹領域は、前記マットの長手方向に沿って羅列されており、前記充填材供給装置は、前記複数の膨脹領域に選択的に前記充填材を供給するように構成されたことを特徴とする。【選択図】      図１
2016007532.tif 000002
【特許請求の範囲】
【請求項１】
人体のストレッチングのためのマットとして、前記マットを膨脹させるための充填材が充填される複数の膨脹領域を含む直四角形状であるマットと、
前記膨脹領域に連結部材を通じて連結されて前記膨脹領域内に前記充填材を注入する充填材供給装置と、
前記充填材供給装置の作動を制御するコントロール装置と、を含み、
前記複数の膨脹領域は、前記マットの長手方向に沿って羅列されており、直四角形状であり、前記充填材を収容することができる収容空間を形成したチューブ形態であり、
前記複数の膨脹領域は、前記マットの長手方向に沿って羅列される時、互いに隣接する膨脹領域の一部分が互いに重畳され、
前記複数の膨脹領域は、雄型ボタンを含み、前記マットの内面には、雌型ボタンが具備されて、前記雄型ボタン及び雌型ボタンが結合されることにより前記複数の膨脹領域が前記マット内部に固定され、
前記コントロール装置は、前記充填材供給装置を制御するように回路構成された制御回路部、電源及び操作ボタンを含み、
前記制御回路部は、前記複数の膨脹領域が予め決定された手順によって予め決定された時間ほど前記複数の膨脹領域に順次に前記充填材を注入するように注入時間をカウントするタイマーを含み、
前記操作ボタンは、前記充填材供給装置を駆動させるための電源ボタン、タイマー設定ボタン、前記複数の膨脹領域のうち一つ以上を選択することができる選択ボタン及び前記複数の膨脹領域が順次に予め決定された時間の間膨脹するように設定するための選択ボタンを含み、
前記充填材供給装置は、前記複数の膨脹領域に選択的に前記充填材を供給するように構成され、
前記充填材供給装置は、前記複数の膨脹領域に連結された連結部材を開閉する複数の電子バルブを含み、前記コントロール装置は、前記複数の電子バルブの開閉を制御するように構成され、
前記複数の膨脹領域は、反復的に膨脹及び収縮されることにより前記人体が前記マットの上に置かれた状態で前記人体の各部分をストレッチングすることを特徴とする人体ストレッチングマッサージ装置。
【請求項２】
前記マットは、外部カバーと、前記膨脹領域を形成するための複数の膨脹部材と、を含むことを特徴とする請求項１に記載の人体ストレッチングマッサージ装置。
【請求項３】
前記複数の膨脹部材は、前記外部カバーの長手方向に垂直した方向に沿って延長された長さを有して前記外部カバーの長手方向に沿って複数に羅列されることを特徴とする請求項２に記載の人体ストレッチングマッサージ装置。
【請求項４】
前記各々の膨脹部材は、一部分が互いに重畳されていることを特徴とする請求項３に記載の人体ストレッチングマッサージ装置。
【請求項５】
前記各々の膨脹部材は、前記外部カバーの幅の半分以下の長さを有して前記外部カバーの長手方向及び前記長手方向に垂直した方向に沿って複数に羅列されることを特徴とする請求項２に記載の人体ストレッチングマッサージ装置。
【請求項６】
前記各々の膨脹部材は、互いに一定距離が離隔されて配置されたことを特徴とする請求項３または請求項５に記載の人体ストレッチングマッサージ装置。
【請求項７】
前記各々の膨脹部材は、少なくとも一つの分画線を形成して複数に分画されていることを特徴とする請求項３に記載の人体ストレッチングマッサージ装置。
【請求項８】
前記マットは、２個のシートが積層されて各シートの端が裁縫される形態に形成され、前記膨脹領域は、前記２個のシートを長手方向に沿って分画して形成されたことを特徴とする請求項１に記載の人体ストレッチングマッサージ装置。
【請求項９】
前記装置は、前記マットの内部に設置される指圧部材をさらに含むことを特徴とする請求項１に記載の人体ストレッチングマッサージ装置。
【請求項１０】
前記装置は、前記マットに設置されて前記マットに接触する身体部分を温熱湿布することができる温熱装置をさらに含むことを特徴とする請求項１に記載の人体ストレッチングマッサージ装置。
【請求項１１】
前記充填材供給装置は、前記複数の膨脹領域に連結された連結部材を開閉する複数の電子バルブを含み、
前記コントロール装置は、前記複数の電子バルブの開閉を制御するように構成されることを特徴とする請求項１に記載の人体ストレッチングマッサージ装置。
【請求項１２】
前記温熱装置は、前記マットの内部に設置される熱線と、前記熱線に電源を供給して前記熱線を加熱するための温熱電源供給部と、をさらに含むことを特徴とする請求項１０に記載の人体ストレッチングマッサージ装置。
【請求項１３】
前記温熱装置は、パック内部に温熱材が充填された温熱パックと、前記温熱パックに電源を供給して前記温熱嶺を発熱させる温熱電源供給部と、を含み、
前記マットの外面には、前記温熱パックを収納するための多数の収容口が形成されたことを特徴とする請求項１０に記載の人体ストレッチングマッサージ装置。
【請求項１４】
前記温熱装置は、チューブ形態であり、
前記チューブは、シリカ、アルミニウムのうち選択された１種以上の物質からなり、加熱されて近赤外線を放射する板状の近赤外線放射体と、
ナトリウム、マグネシウム、アルミニウム、カルシウム、鉄、亜鉛、マンガンのうち選択された１種以上の物質からなり、前記近赤外線放射体の表面に塗布されて抵抗熱を発生する発熱体と、
タングステン、錫、銅のうち選択された１種以上の物質からなり、前記発熱体の両端に形成されて電源を連結する電極層と、
前記発熱体の表面に塗布されて発熱体を保護する保護層と、を含むことを特徴とする請求項１０に記載の人体ストレッチングマッサージ装置。
【請求項１５】
前記膨脹部材の表面に具備されて内部に収容空間を有するように形成された指圧部材と、前記収容空間内に収納された遠赤外線ランプと、をさらに含むことを特徴とする請求項２に記載の人体ストレッチングマッサージ装置。
【請求項１６】
前記膨脹部材が膨脹される時、前記膨脹部材を支持するように前記マットの下部または前記マットの内部に設置される支持プレートをさらに含むことを特徴とする請求項２に記載の人体ストレッチングマッサージ装置。
【発明の詳細な説明】
【技術分野】
【０００１】
本発明は、マッサージ装置に関し、より詳細には、人体をストレッチングマッサージをする人体ストレッチングマッサージ装置に関する。
【背景技術】
【０００２】
一般的に、マッサージ装置は、モータの作動により発生された振動が前記マッサージ装置と接触する人体部位に伝達されることで前記部位の筋肉弛緩及び疲労回復などのためのマッサージが実行される装置である。
【０００３】
ここで、マッサージは、人体の主要経絡を刺激して新陳代謝を促進させることで、針と一緒に物理治療法ではその歴史が非常に長い。これによって、前記マッサージは、民間療法だけで使われてきたが、最近には現代医学でもその効果を認定しており、さらにスポーツ分野でも運動選手のコンディションの調節のために前記マッサージが筋肉疲労をいやす手段でたくさん使われている。
【０００４】
最近は、電子及び機械関連産業の顕著な発達に従って多数の電子式治療器機が開発されている。前記マッサージ装置も限定された部位、例えば、足や肩をマッサージするものから全身をマッサージするものに至るまでその種類が多様化に開発されている。
【０００５】
しかし、従来の大部分のマッサージ装置は、上述したように、人体の主要経絡を刺激して新陳代謝を促進させるために突起形態の指圧手段を具備しており、マッサージのために動作する形態も非常に複雑になっている。
【０００６】
したがって、従来の大部分のマッサージ装置は、身体の各部位を指圧または按摩する形態を有しているだけで人体の各部分を伸展させながらストレッチングさせる機能が付与されているものがなくて、人体を伸展させるためには、各人が人体のストレッチング効果を有する姿勢を取りながら身体をストレッチングさせている。したがって、人体のストレッチング効果を有するマッサージ装置の開発が要求されている。
【０００７】
また、従来のマッサージ装置は、上述のように、身体の各部位を指圧またはマッサージする過程を具現するために複雑な構造になっているので、製造コストが上昇し、結果的に消費者に高価に供給される問題がある。
【０００８】
さて、本発明者は、このような従来の問題点を解決して、各人の特別な活動なしにも楽に横になった状態で人体を伸展させてストレッチングし、追加的に指圧及び温熱湿布が可能で人体のマッサージ効果を増大させた人体ストレッチングマッサージ装置を開発するに至った。
【発明の概要】
【発明が解決しようとする課題】
【０００９】
本発明は、人体をストレッチングマッサージする人体ストレッチングマッサージ装置を提供することを目的とする。
【課題を解決するための手段】
【００１０】
本発明は、人体のストレッチングのためのマットとして、前記マットを膨脹させるための充填材が充填される複数の膨脹領域を含むマットと、前記膨脹領域に連結部材を通じて連結されて前記膨脹領域内に前記充填材を注入する充填材供給装置と、前記充填材供給装置の作動を制御するコントロール装置と、を含み、前記複数の膨脹領域は、前記マットの長手方向に沿って羅列されており、前記充填材供給装置は、前記複数の膨脹領域に選択的に前記充填材を供給するように構成されたことを特徴とする人体ストレッチングマッサージ装置を提供する。
【００１１】
前記マットは、外部カバーと、前記膨脹領域を形成するための複数の膨脹部材と、を含むことができる。前記複数の膨脹部材は、前記外部カバーの長手方向に垂直した方向に沿って延長された長さを有し、前記外部カバーの長手方向に沿って複数に羅列されることができる。前記各々の膨脹部材は、一部分が互いに重畳されることができる。
【００１２】
前記各々の膨脹部材は、前記外部カバーの幅の半分以下の長さを有し、前記外部カバーの長手方向及び前記長手方向に垂直した方向に沿って複数に羅列されることができる。
【００１３】
前記各々の膨脹部材は、互いに一定距離が離隔されて配置されることができる。前記各々の膨脹部材は、少なくとも一つの分画線を形成して複数に分画されることができる。
【００１４】
前記マットは、２個のシートが積層されて各シートの端が裁縫される形態で形成され、前記膨脹領域は、前記２個のシートを長手方向に沿って分画して形成されることができる。
【００１５】
前記装置は、前記マットの内部に設置される指圧突起をさらに含むことができる。
【００１６】
前記装置は、前記マットの内部に設置される熱線と、前記熱線に電源を供給して前記熱線を加熱するための熱線電源供給部と、をさらに含むことができる。
【００１７】
前記充填材供給装置は、前記複数の膨脹領域に連結された連結部材を開閉する複数の電子バルブを含み、前記コントロール装置は、前記複数の電子バルブの開閉を制御するように構成されることができる。
【発明の効果】
【００１８】
本発明の一実施例による人体ストレッチングマッサージ装置によれば、各人の特別な活動なしにも楽に横になった状態で人体を伸展させてストレッチングし、追加的に指圧及び温熱湿布が可能なので、人体のマッサージ効果が増大されることができる。
【図面の簡単な説明】
【００１９】
【図１】本発明の一実施例による人体ストレッチングマッサージ装置の構成を説明するための図である。
【図２】図１に示されたマットを説明するための図である。
【図３】図１に示された膨脹部材を説明するための図である。
【図４】本発明の他の実施例による人体ストレッチングマッサージ装置を説明するための図である。
【図５】本発明のまた他の実施例による人体ストレッチングマッサージ装置を説明するための図である。
【図６Ａ】本発明のまた他の実施例による人体ストレッチングマッサージ装置を説明するための図である。
【図６Ｂ】本発明のまた他の実施例による人体ストレッチングマッサージ装置を説明するための図である。
【図６Ｃ】本発明のまた他の実施例による人体ストレッチングマッサージ装置を説明するための図である。
【図７】本発明のまた他の実施例による人体ストレッチングマッサージ装置を説明するための図である。
【図８】本発明のまた他の実施例による人体ストレッチングマッサージ装置を説明するための図である。
【図９】本発明のまた他の実施例による人体ストレッチングマッサージ装置を説明するための図である。
【図１０】本発明のまた他の実施例による人体ストレッチングマッサージ装置を説明するための図である。
【発明を実施するための形態】
【００２０】
本発明による人体ストレッチングマッサージ装置は、マットを膨脹させるための充填材が充填される複数の膨脹領域を含むマットと、前記膨脹領域に連結部材を通じて連結されて前記膨脹領域内に前記充填材を注入する充填材供給装置と、前記充填材供給装置の作動を制御するコントロール装置と、を含み、前記複数の膨脹領域は、前記マットの長手方向に沿って羅列されており、前記充填材供給装置は、前記複数の膨脹領域に選択的に前記充填材を供給するように構成されることができる。
【００２１】
以下、添付図面を参照して本発明の実施例による人体ストレッチングマッサージ装置に対して詳しく説明する。本発明は、多様に変更可能であり、さまざまな実施形態を有することができる。ここでは、特定の実施形態を図面に例示して詳細に説明する。しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。各図面の説明において、類似な参照符号を類似な構成要素に対して使用した。添付図面において、構造物の寸法は、本発明の明確性のために実際より拡大して図示した。
【００２２】
第１、第２などの用語は、多様な構成要素を説明するために使用することができるが、前記構成要素は前記用語により限定されものではない。前記用語は、一つの構成要素を他の構成要素から区別するための目的のみで使用される。例えば、本発明の権利範囲を脱しない範囲で、第１の構成要素は第２の構成要素と命名することができ、類似に第２の構成要素も第１の構成要素と命名することができる。
【００２３】
本明細書で使用した用語は、但し、特定の実施形態を説明するために使用されたもので、本発明はこれに限定されるものではない。単数の表現は、文脈上明白に相違に記載しない限り複数の表現を含む。本出願において、「含む」または「有する」などの用語は、明細書上に記載された特徴、数字、ステップ、動作、構成要素、部品またはこれらを組み合わせたものが存在することを指定するのであって、一つまたはその以上の他の特徴や数字、ステップ、動作、構成要素、部品またはこれらを組み合わせたものなどの存在または付加可能性をあらかじめ排除することではない。
【００２４】
特定しない限り、技術的や科学的な用語を含んでここで使用されるすべての用語は、本発明が属する技術分野で通常の知識を有する者により一般的に理解される意味と同一な意味を有する。一般的に使用される辞典に定義された用語は、関連技術の文脈上有する意味と一致することと解でき、本出願において明白に定義しない限り、理想的や過度に形式的な意味を有することで解釈できない。
【００２５】
図１は、本発明の一実施例による人体ストレッチングマッサージ装置の構成を説明するための図であり、図２は、図１に示したマットを説明するための図であり、図３は、図１に示した膨脹部材を説明するための図である。
【００２６】
図１〜図３を参照すれば、本発明の一実施例による人体ストレッチングマッサージ装置は、マット１００と、充填材供給装置２００と、コントロール装置４００と、を含む。
【００２７】
マット１００は、部分的に膨脹して人体のストレッチングを助けるための構成である。
【００２８】
マット１００は、マット１００を膨脹させるための充填材が充填される複数の膨脹領域を含む。このようなマット１００は、外部カバー１１０及び複数の膨脹部材１２０を含むことができる。
【００２９】
外部カバー１１０は、マット１００の外面を形成する。一例で、外部カバー１１０は、弾性力を有する合成樹脂などで形成することができ、外部カバー１１０の内部には、クッション材(図示せず)が具備されることができる。このような外部カバー１１０は、長い長さ、例えば、人体の首部分から腰部までを支えることができる直四角形状であることができる。
【００３０】
一例で、外部カバー１１０は、複数のシートで形成されることができる。このような場合、各々のシートのわくには雄雌のベルクロテープが設置されることができ、雄雌のベルクロテープにより各々のシートは、互いに付着されて外部カバー１１０を形成することができる。このような外部カバー１１０にクッション材が具備される場合、クッション材は、複数のシートの中でいずれの一つのシートの内面に積層される形態で具備されることができる。
【００３１】
複数の膨脹部材１２０は、複数の膨脹領域内に位置する。一例で、各々の膨脹部材１２０は、充填材を収容することができる収容空間を形成したチューブ形態であることができる。このような複数の膨脹部材１２０は、外部カバー１１０の長手方向に沿って羅列され、例えば、直四角形状であることができる。この時、直四角形状は、外部カバーの長手方向に垂直した方向に沿って延長された長さを有することができる。また、複数の膨脹部材１２０は、外部カバー１１０の長手方向に沿って羅列される際に、互いに各々の膨脹部材１２０の一部分が重畳されるように構成されることができる。または複数の膨脹部材１２０は、外部カバー１１０の長手方向に沿って羅列される際に、互いに一定距離が離隔されて配置されてもよい。このような複数の膨脹部材１２０は、内部に充填材が注入されることによって膨脹されることができる。
【００３２】
このような複数の膨脹部材１２０は、外部カバー１１０の内面に固定されることができる。例えば、複数の膨脹部材１２０は、雄型ボタン１１２を含むことができ、外部カバー１１０の内面には、雌型ボタン１１１が具備されることができる。雄型ボタン１１２及び雌型ボタン１１１が結合されることによって複数の膨脹部材１２０は外部カバー１１０の内部に固定されることができる。また、複数の膨脹部材１２０は、充填材が流入される充填材流入口１１３を形成することができる。
【００３３】
これと異なり、外部カバー１１０の内部にクッション材が具備される場合、前記雌型ボタン１１１は、クッション材上に具備されることができ、このような場合、複数の膨脹部材１２０は、クッション材上に設置されることができる。
【００３４】
一例で、複数の膨脹部材１２０は、５個であることができる。このような場合、マット１００上に使用者が横になった時、一番目に位置した膨脹部材１２０は、人体の首部分に位置ることができ、二番目に位置した膨脹部材１２０は、人体の肩部分に位置することができ、三番目に位置した膨脹部材１２０は、人体の肩部分及び背部分の間に位置することができ、四番目に位置した膨脹部材１２０は、人体の背部分に位置することができ、五番目に位置した膨脹部材１２０は、人体の腰部分に位置することができる。
【００３５】
充填材供給装置２００は、膨脹領域、すなわち、膨脹部材１２０に連結部材３００を通じて転結されて膨脹部材１２０内に充填材を注入する。一例で、連結部材３００は、膨脹部材１２０の個数に対応する個数になった複数のホース３１０及びホース３１０と連結されたコネクタ３２０であることができ、充填材は、エア(ａｉｒ)であることができる。このような場合、充填材供給装置２００は、充填材を供給するための構成として、エアを供給及び排気することができる空圧装置であることができる。また、充填材供給装置２００は、複数の電子バルブ３３０を含むことができる。複数の電子バルブ３３０は、連結部材３００上に設置されることができる。例えば、複数の電子バルブ３３０は、膨脹部材１２０に固定された連結部材３００の一端部または充填材供給装置２００に固定された連結部材３００の他の一端部に位置することができる。このような複数の電子バルブ３３０は、コントロール装置４００と電気的に連結される。
【００３６】
コントロール装置４００は、充填材供給装置２００を制御する。一例で、コントロール装置４００は、ケーシング、充填材供給装置２００を制御するように回路構成された制御回路部、電源及び操作ボタンを含むことができる。制御回路部は、複数の膨脹部材１２０が羅列された手順によって決まった時間ほど複数の膨脹部材１２０に順次に充填材を注入するように注入時間をカウントするタイマーを含むことができる。操作ボタンは、充填材供給装置２００を駆動させるための電源ボタン、タイマー設定ボタン、複数の膨脹部材１２０のうち一つ以上を選択することができる選択ボタンなどを含むことができる。また、コントロール装置４００のケーシングには、上述した連結部材３００のコネクタ３２０が結合される部分４１０を含むことができる。充填材供給装置２００は、このようなコントロール装置４００の内部に設置されてコネクタ３２０と連結されることができる。
【００３７】
以下、このような本発明の一実施例による人体ストレッチングマッサージ装置の使用方法を説明する。
【００３８】
人体のストレッチングマッサージのために、まず、マット１００が底に置かれた状態で、使用者がマット１００上で横になる。この時、マット１００は使用者の上半身を支えるように位置する。
【００３９】
以後、使用者は、コントロール装置４００の駆動ボタンのうち、例えば、電源ボタンを押した後、選択ボタンを押すことができる。この時、選択ボタンは、複数の膨脹部材１２０が順次に一定時間の間膨脹されるように設定されるボタンであることができる。このような場合、コントロール装置４００は、制御回路部で充填材供給装置２００を制御して予め設定された時間の間膨脹部材１２０を膨脹させることができる。この時、複数の膨脹部材１２０が順次に膨脹される時間は、タイマーによりカウントされることができる。
【００４０】
例えば、膨脹部材１２０が５個になった各膨脹部材１２０の膨脹時間が３分の場合、まず、一番目に位置した膨脹部材１２０にエアが供給されて３分間膨脹状態が維持されて人体の首部分を持ち上げて伸展させた後、３分が経過すると、膨脹部材１２０からエアが排気される。
【００４１】
次に、二番目に位置した膨脹部材１２０にエアが供給されて３分間膨脹状態が維持されて人体の肩部分を持ち上げて伸展させた後、３分が経過すると、膨脹部材１２０からエアが排気される。
【００４２】
次に、三番目に位置した膨脹部材１２０にエアが供給されて３分間膨脹状態が維持されて人体の肩部分及び背部分の間を持ち上げて伸展させた後、３分が経過すると、膨脹部材１２０からエアが排気される。
【００４３】
次に、四番目に位置した膨脹部材１２０にエアが供給されて３分間膨脹状態が維持されて人体のなど部分を持ち上げて伸展させた後、３分が経過すると、膨脹部材１２０からエアが排気される。
【００４４】
最後に、五番目に位置した膨脹部材１２０にエアが供給されて３分間膨脹状態が維持されて人体の腰部分を持ち上げて伸展させた後、３分が経過すると、膨脹部材１２０からエアが排気される。
【００４５】
このような人体のストレッチングマッサージ過程は、例示的なことであり、特別にこれに限定されるものではなくて、例示されたこととは異なり、膨脹部材１２０が膨脹される時間を一層長くするか短くすることができる。膨脹部材１２０が膨脹される時間が一層長くなる場合、人体の上半身の各部分を伸展させる時間を長くすることができ、膨脹部材１２０が膨脹される時間が一層短くなる場合、膨脹部材１２０が速い速度で膨脹及び収縮を繰り返しながら人体の上半身の各部分を反復的に速く伸展させてストレッチングが行われるようにすることができる。
【００４６】
本発明の一実施例による人体ストレッチングマッサージ装置は、マット１００上に横になった状態で、膨脹部材１２０の反復的な膨脹及び収縮により人体の各部分を伸展させてストレッチングが実施されるので、使用者が楽な姿勢に横になった状態で人体をストレッチングすることができ、これによって、使用者の特別な動きなしにも人体のストレッチングが可能である。
【００４７】
以下、本発明の他の実施例による人体ストレッチングマッサージ装置を、図４を参照して、本発明の一実施例による人体ストレッチングマッサージ装置との差異を中心として説明する。図４は、本発明の他の実施例による人体ストレッチングマッサージ装置を説明するための図である。
【００４８】
図４を参照すれば、本発明の他の実施例による人体ストレッチングマッサージ装置は、各々の膨脹部材１２０が少なくとも一つの分画線１２１を形成して複数の領域に分画されるように形成されること以外は、本発明の一実施例による人体ストレッチングマッサージ装置と同一である。
【００４９】
例えば、各々の膨脹部材１２０は、膨脹部材１２０の長手方向に垂直した方向に沿って二つの分画線１２１を形成して２個の領域に分画されることができる。このような場合、分画された各々の領域に充填材が注入されることができる。これのために、分画された各々の領域に連結部材３００が連結され、連結部材３００には電子バルブ３３０が設置されることができる。また、制御回路部は、各々の分画された領域に充填材が注入されるように充填材供給装置２００を制御することができる。
【００５０】
このような本発明の他の実施例による人体ストレッチングマッサージ装置は、各々の膨脹部材１２０の分画された各領域に充填材を充填して各分画された領域別に膨脹させることができるので、人体の各部分を垂直で持ち上げて伸展させる機能以外に、人体を拗ってストレッチングさせる機能を含むことができる。
【００５１】
一例で、各々の膨脹部材１２０から分画線１２１を基準で左側または右側に位置した領域にエアを供給して膨脹させると、人体、例えば、上半身の左側または右側部分が右側または左側に向けて持ち上げられながらストレッチングされることができる。
【００５２】
他の例で、複数の膨脹部材１２０のうち一部は分画線を基準で左側に位置した領域にエアを注入し、残りの一部は分画線を基準で右側に位置した領域にエアを注入すると、人体、例えば、上半身の一部は、左側にストレッチングされ、他の一部は右側に拗くれながらストレッチングされることができる。
【００５３】
したがって、このような本発明の他の実施例による人体ストレッチングマッサージ装置は、人体のストレッチング効果を増大させることができる。
【００５４】
以下、本発明のまた他の実施例による人体ストレッチングマッサージ装置を、図５を参照して、本発明の一実施例による人体ストレッチングマッサージ装置との差異を中心として説明する。図５は、本発明のまた他の実施例による人体ストレッチングマッサージ装置を説明するための図である。
【００５５】
図５を参照すれば、本発明のまた他の実施例による人体ストレッチングマッサージ装置は、各々の膨脹部材１２０が外部カバー１１０の幅の半分以下の長さを有して外部カバー１１０の長手方向及び長手方向に垂直した方向に沿って複数に羅列され、各々の膨脹部材１２０は、互いに一定距離が離隔されていること以外は、本発明の一実施例による人体ストレッチングマッサージ装置と同一である。
【００５６】
このような本発明のまた他の実施例による人体ストレッチングマッサージ装置は、図４を参照して説明した本発明の他の実施例による人体ストレッチングマッサージ装置とその機能及び効果が同一または類似である。
【００５７】
以下、本発明のまた他の実施例による人体ストレッチングマッサージ装置を、図６Ａ〜図６Ｃを参照して、本発明の一実施例による人体ストレッチングマッサージ装置との差異を中心として説明する。図６Ａ〜図６Ｃは、本発明のまた他の実施例による人体ストレッチングマッサージ装置を説明するための図である。
【００５８】
図６Ａ〜図６Ｃを参照すれば、本発明のまた他の実施例による人体ストレッチングマッサージ装置は、マット１００に設置されて前記マット１００に接触する身体部分を温熱湿布することができる温熱装置５１０、５２０、５３０をさらに含むこと以外は、本発明の一実施例による人体ストレッチングマッサージ装置と同一である。
【００５９】
図６Ａは、温熱装置の一例を示す。図６Ａを参照すれば、温熱装置５１０は、マット１００の内部に設置される熱線５１１と、前記熱線５１１に電源を供給して前記熱線を加熱するための熱線電源供給部５１２と、を含む。
【００６０】
一例で、熱線５１１は、マット１００の外部カバー１１０の内面に固定される形態であることができ、熱線電源供給部５１２は、コントロール装置４００の内部に設置されることができる。
【００６１】
このような温熱装置５１０の場合、熱線電源供給部５１２を通じて熱線５１１に電源を供給して熱線５１１を加熱させると、マット１００の外部カバー１１０は、所定の温度の熱を有するようになり、これによって、複数の膨脹部材１２０を膨脹及び収縮させながらストレッチングマッサージを実施する際に人体の接触部分に熱を加わるので、温熱湿布が可能になる。
【００６２】
図６Ｂは、温熱装置の他の例を示す。図６Ｂを参照すれば、温熱装置５２０は、パック内部に温熱材が充填された温熱パック５２１と、前記温熱パック５２１に電源を供給して前記温熱材を発熱させる温熱電源供給部５２２と、を含むことができる。このような場合、マット１００の外面には、温熱パック５２１を収納するための多数の収容口１３０が形成されることができる。
【００６３】
温熱パック５２１は、収容口１３０に着脱され、一般的なパックを使用することができるが、液体燃料を内蔵させるか、接触すれば発熱反応をする粉末を内蔵することができる。
【００６４】
一例で、温熱パック５２１の充填材として酢酸ナトリウム(Ｓｏｄｉｕｍ ａｃｅｔａｔｅ)やチオ硫酸ナトリウムなどの過飽和溶液を使用することができるが、水和物状態の固体をパックに入れて少量の水を加えて沸かせば、過飽和溶液に変わり、外部の衝撃により固体に再変化しながら熱を放出することができる。
【００６５】
他の例で、温熱パック５２１は、ビニル材質のパック内部に流体を充填した後、圧電セラミックを内蔵し、電源供給線５２３を温熱電源供給部５２２に連結して加熱する方式を採択することができる。
【００６６】
温熱電源供給部５２２は、温熱パック５２１に電源を供給することができる。温熱電源供給部５２２は、温熱パック５２１の加熱温度などを調節するように構成されることができる。
【００６７】
収容口１３０は、上側辺にスナップボタン、ベルクロテープまたはチャックなどを設置して開閉可能に構成することができる。
【００６８】
このような温熱装置５１０の場合、温熱電源供給部５２２を通じて温熱パック５２１に電源を供給すれば、温熱パック５２１の充填材は発熱され、これによって、マット１００に接触する身体部分を温熱湿布することができる。
【００６９】
図６Ｃは、温熱装置のまた他の例を示す。図６Ｃを参照すれば、温熱装置５３０は、チューブ形態である。前記チューブは、シリカ、アルミニウムのうち選択された１種以上の物質からなり、加熱されて近赤外線を放射する板状の近赤外線放射体５３１；ナトリウム、マグネシウム、アルミ二ウム、カルシウム、鉄、亜鉛、マンガンのうち選択された１種以上の物質からなり、前記近赤外線放射体の表面に塗布されて抵抗熱を発生する発熱体５３２；タングステン、錫、銅のうち選択された１種以上の物質からなり、前記発熱体の両端に形成されて電源を連結する電極層５３３；及び前記発熱体の表面に塗布されて発熱体を保護する保護層５３４を含むことができる。
【００７０】
近赤外線放射体５３１は、板状のセラミックスＰＴＣ(Ｐｏｓｉｔｉｖｅ  Ｔｅｍｐｅｒａｔｕｒｅ  Ｃｏｅｆｆｃｉｅｎｔ)発熱素材であり、熱を吸収して近赤外線を放射するセラミックスの表面に抵抗熱を発生する発熱体５３２がコーティングされる。
【００７１】
この非金属ＰＴＣは、卓越な柔軟性と耐久性及び電気的安全性を有しており、特に、優れた耐熱性と耐寒性で６〜４４０Ｖまで多様に使用が可能である。一般的に、２０〜１５０℃までの温度で機能を実行することができる。
【００７２】
さらに、最下点も零下６０〜７０℃に達して、一般有機系化合物が衝撃を受けるか破壊される低温でも相変わらず弾性を維持するので、人体用暖房素材を含めて産業用、農水産業用、土木用、一般家電用など産業全般に適用が可能な素材である。
【００７３】
この発熱体５３２の両端部分は、電源の印加のために伝導性が優秀で、且つ熱膨脹に対する耐久性を確保するためにタングステン、錫、銅が混合された金属をメタライズ技法でコーティング処理する。
【００７４】
前記近赤外線放射体５３１は、アルミナ８１.９重量％、シリカ８.１重量％、炭素３.８重量％、酸化マグネシウム１.２５重量％、その他無機質材料を含むセラミックス素材であり、板状で加工した後に塑性加工する。
【００７５】
前記発熱体５３２は、ナトリウム、マグネシウム溶液を近赤外線照射体５３１の外周面に噴射コーティングし、１３００℃の温度を維持する乾燥路で１５時間以上塑性処理する。
【００７６】
電極層５３３は、タングステン、錫、銅を含む伝導性物質をメタライズ技法で形成する。
【００７７】
また、保護層５３４は、発熱体５３２の両端部分を除外した残りの部分に、発熱体５３２を酸化防止と外部衝撃から保護するためにコーティングした後に乾燥炉で熱処理する。
【００７８】
このような工程を通じて製造されたチューブ形態の温熱装置５３０は、全体的に板状の近赤外線放射体５３１に低抗体である発熱体５３２がコーティングされ、その両端部分を除外した部分には保護層５３４がコーティングされ、その両端部分には電極層５３３がコーティングされた構造で形成される。
【００７９】
しかし、近赤外線放射体５３１、発熱体５３２、保護層５３４などは、その熱膨脹係数が互いに異なるため、収縮膨脹によってクラックが発生する恐れがあるので、発熱体５３２、保護層５３４を微細な粉末で加工し、噴射コーティングする時にパウダーのポンディング剤であるクロムコーティング液を添加してコーティングすることが好ましい。
【００８０】
このような温熱装置５３０の場合、別に準備された電源供給装置５３５と電源連結線５３６により電気的に連結され、電源供給装置５３５から電源が供給されて発熱体５３２が発熱され、発熱体５３２によりマット１００は加熱されてマット１００に接触する身体部位を温熱湿布することができる。
【００８１】
また、温熱装置５３０がチューブ形態になり、チューブは、アルミナを主成分とする無機質材料で構成されているため、熱衝撃にも強くて、重さが軽くて熱伝導率が優秀なので、マット１００が速く加熱されることができ、これによって、温熱湿布機能を速く使用することができる。
【００８２】
したがって、このような温熱装置５１０、５２０、５３０を含む本発明のまた他の実施例による人体ストレッチングマッサージ装置を利用すれば、人体のストレッチングマッサージだけではなく温熱湿布が可能なので、人体の緊張された筋肉を速くいやすことができ、これによって、人体のストレッチング効果が一層増大されることができる。
【００８３】
以下、本発明のまた他の実施例による人体ストレッチングマッサージ装置を、図７を参照して、本発明の一実施例による人体ストレッチングマッサージ装置との差異を中心として説明する。図７は、本発明のまた他の実施例による人体ストレッチングマッサージ装置を説明するための図である。
【００８４】
図７を参照すれば、本発明のまた他の実施例による人体ストレッチングマッサージ装置は、マット１００の内部に設置される指圧突起６００をさらに含むこと以外は、本発明の一実施例による人体ストレッチングマッサージ装置と同一である。
【００８５】
ここで、指圧突起６００が固定される位置は、特別に限定されず、例えば、指圧突起６００は、マット１００の外部カバー１１０の内面に付着された状態であることができる。
【００８６】
このような本発明のまた他の実施例による人体ストレッチングマッサージ装置は、膨脹部材１２０を膨脹及び収縮させながらストレッチングマッサージ過程を実施する時、膨脹部材１２０が膨脹されると、指圧突起６００が人体の接触部分を加圧するようになって、人体を指圧する機能をさらに有するようになる。
【００８７】
したがって、このような本発明のまた他の実施例による人体ストレッチングマッサージ装置は、人体の各部分をストレッチングする機能と共に人体を指圧する機能が付加されるので、人体のマッサージ効果が一層増大されることができる。
【００８８】
以下、本発明のまた他の実施例による人体ストレッチングマッサージ装置を、図８を参照して、本発明の一実施例による人体ストレッチングマッサージ装置との差異を中心として説明する。図８は、本発明のまた他の実施例による人体ストレッチングマッサージ装置を説明するための図である。
【００８９】
図８を参照すれば、本発明のまた他の実施例による人体ストレッチングマッサージ装置は、前記膨脹部材１２０の表面に具備されて内部に収容空間を有するように形成された指圧部材７１０と、前記収容空間内に収納された遠赤外線ランプ７２０と、をさらに含むこと以外は、本発明の一実施例による人体ストレッチングマッサージ装置と同一である。
【００９０】
指圧部材７１０の形状は、特別に限定されないが、例えば、図８に示したように、平面形状が円形状を有する円柱形状であることができる。円柱の内部は空いていることができる。円柱の空いている内部は、遠赤外線ランプ７２０を収容することができる収容空間を形成することができる。
【００９１】
遠赤外線ランプ７２０は、発光時に遠赤外線を放出する。遠赤外線ランプ７２０は、コントロール装置４００内部の電源供給部から電源が供給されて発光されることができる。
【００９２】
このような本発明のまた他の実施例による人体ストレッチングマッサージ装置は、膨脹部材１２０を膨脹及び収縮させながらストレッチングマッサージ過程を実施する時、膨脹部材１２０が膨脹されると、指圧部材７１０が人体の接触部分を加圧するようになって、人体を指圧する機能をさらに有するようになる。
【００９３】
また、指圧部材７１０は、遠赤外線ランプ７２０を内部に収容しているので、遠赤外線を放出することにより身体に遠赤外線を供給することができる。
【００９４】
したがって、このような本発明のまた他の実施例による人体ストレッチングマッサージ装置は、人体の各部分をストレッチングする機能と共に人体を指圧する機能が付加されるので、人体のマッサージ効果が一層増大されることができ、遠赤外線放出により使用者の身体の健康増大の効果がある。
【００９５】
以下、本発明のまた他の実施例による人体ストレッチングマッサージ装置を、図９を参照して、本発明の一実施例による人体ストレッチングマッサージ装置との差異を中心として説明する。図９は、本発明のまた他の実施例による人体ストレッチングマッサージ装置を説明するための図である。
【００９６】
図９を参照すれば、本発明のまた他の実施例による人体ストレッチングマッサージ装置は、膨脹部材１２０が膨脹される時、前記膨脹部材１２０を支持するように前記マット１００の下部または前記マット１００の内部に設置される支持プレート８００をさらに含むこと以外は、本発明の一実施例による人体ストレッチングマッサージ装置と同一である。図９では、支持プレート８００がマット１００の内部に設置されることを示している。
【００９７】
ここで、支持プレート８００の材質は、特別に限定されず、膨脹部材１２０が膨脹される時に容易に膨脹部材１２０を支持することができる堅い素材であれば、いずれも使用可能であり、例えば、合板、木、金属、ゴムなどの材質であることができる。
【００９８】
このような本発明のまた他の実施例による人体ストレッチングマッサージ装置は、膨脹部材１２０が膨脹される時、膨脹部材１２０の下部で膨脹部材１２０を支持する支持プレート８００により膨脹部材１２０が膨脹される時に作用する圧力が膨脹部材１２０の上部に向けて作用されるようにし、これによって、膨脹部材１２０が膨脹される時に容易に膨脹されることができる。
【００９９】
以下、本発明のまた他の実施例による人体ストレッチングマッサージ装置を、図１０を参照して、本発明の一実施例に他の人体ストレッチングマッサージ装置との差異を中心として説明する。図１０は、本発明のまた他の実施例による人体ストレッチングマッサージ装置を説明するための図である。
【０１００】
図１０を参照すれば、本発明のまた他の実施例による人体ストレッチングマッサージ装置は、マット１００’は、２個のシートが積層されて各シートの端が裁縫される形態で形成され、膨脹領域１００ａ’は、前記２個のシートを長手方向に沿って分画して形成されたこと以外は、本発明の一実施例による人体ストレッチングマッサージ装置と同一である。
【０１０１】
このような本発明のまた他の実施例による人体ストレッチングマッサージ装置は、複数の膨脹領域１００ａ’を有するマット１００’を２個のシートのみで構成することができるので、人体ストレッチングマッサージ装置の製作が容易であり、製造コストが節減されることができる。
【０１０２】
以上、添付した図面を参照して本発明の実施例について説明したが、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
2016007532.tif 000003
【図２】
2016007532.tif 000004
【図３】
2016007532.tif 000005
【図４】
2016007532.tif 000006
【図５】
2016007532.tif 000007
【図６Ａ】
2016007532.tif 000008
【図６Ｂ】
2016007532.tif 000009
【図６Ｃ】
2016007532.tif 000010
【図７】
2016007532.tif 000011
【図８】
2016007532.tif 000012
【図９】
2016007532.tif 000013
【図１０】
2016007532.tif 000014